(57)【要約】【課題】  平滑面への貼付け、剥がしが自由に行え、設置対象面に容易に貼付けて使用できる上、印刷による鮮明で優れたデザイン性とマーカーでの自由な書込みと消去による柔軟な対応性とを合せ持ち、様々な状況に対応した表示が行えるシート状表示媒体を提供する。【解決手段】  設置対象面への貼付けを吸着で実現する吸着部２と一体に、所定デザインに印刷されるインク受容層４とこれを覆う保護フィルム５とを有し、印刷で得られる高精細で優れた画質のデザインと共に、保護フィルム５表面へのマーカー書込み及びその消去で自由に変化させられる文字や線画を主とするデザインを追加できることから、印刷による質の高いデザインに、保護フィルム５表面へのマーカーでの自由な書込みに伴うデザインが組合わさることとなり、変化に富んだデザイン形成が可能であり、視覚に訴える表示が確実に行え、注目度を著しく高められる。【選択図】  図１
0003112890.tif 000002
【実用新案登録請求の範囲】
【請求項１】
吸着力を生じる微細な凹部が多数形成された柔軟な略シート状の吸着部と、
当該吸着部の一面に剥離可能に貼着される略フィルム状の吸着面保護材と、
前記吸着部の他面にインク受容成分を膜状に配置して形成され、所定の一又は複数色のインクで所定の表示内容が印刷されるインク受容層と、
ホワイトボード用マーカーでの書込み及び当該書込みの払拭消去が可能な表面性状を有し、印刷済みの前記インク受容層全面を覆って貼着される略透明の保護フィルムとを備えることを
特徴とするシート状表示媒体。
【考案の詳細な説明】
【技術分野】
【０００１】
本考案は、壁や窓、床、テーブル等の天面、家具や建具の側面といった平滑な面に貼付けることができ、且つ容易に剥がせて再貼付けも行え、印刷による固定した表示と共に手書きによる柔軟に変化する表示を様々な箇所で実現できるシート状表示媒体に関する。
【背景技術】
【０００２】
店舗等に掲示されるポスターやいわゆるＰＯＰ（Point of Purchase）広告等のシート状表示媒体としては、従来から紙やプラステック製シートが用いられ、これらは壁、窓ガラス、サインボード等の表示対象箇所に、糊・接着剤での貼付け、あるいは画鋲・テープ止め等で、取付けられるのが一般的であった。近年では、あらかじめ貼付け面側に粘着性を付与したものも用いられ、貼付けの際の手間を軽減できるようになっている。
【０００３】
また、同様に店舗等に掲示されるシート状表示媒体のうち、より小さい価格表示用や広告宣伝用等のラベルは、従来から貼付け面に粘着性を付与したものが主に用いられ、手軽に対象物に対し貼付けが行えるようになっている。
【０００４】
こうしたポスターやＰＯＰ、ラベルといった表示媒体の作成において、比較的精細で鮮明なデザイン画像や文字を容易に得られるという特長を生かして、インクジェット記録方式による印刷を利用する例が近年増加している。店舗等での広告用途では、多種のオリジナルデザインを小ロットで得たいという表示媒体への要求があることから、こうした要求に適切に対応でき、デザイン画像を良好な画質で容易に付与可能なインクジェット記録方式の印刷を用いる割合は、これからもさらに拡大していくと見込まれる。
【０００５】
貼付け面に粘着性を付与された従来の表示媒体用材料のうち、インクジェット記録方式に対応したものは、印刷がなされるインクジェット記録用シート部の裏面に直接粘着層を形成し、その粘着層に剥離可能な別のシートを積層したものとなっており、インクジェット記録方式のプリンタにそのまま投入され、印刷を経てポスターやラベル等として完成する仕組みとなっていた。
【０００６】
しかし、粘着性を与えられたポスターやラベル等のシート状表示媒体は、粘着層側のシートを剥がして一旦設置対象面に貼付けて使用した後は、その粘着性故に、使用可能な状態で剥がすのが困難であり、また、仮に適切に剥がせても、剥がした後は粘着性を失うなど再貼付け不可能な場合がほとんどであり、剥がして別の場所に貼替えたり、剥がしてしばらく保管した後再使用するなどの対応は困難であった。
【０００７】
近年、こうしたインクジェット記録用途の拡大に対応する形で、粘着材を用いる代りに吸着性を有する層を設けて、容易な貼付けと剥がしを経た再利用を可能にしたインクジェット記録対応の表示媒体が開発製造され、実際に広告等表示にも使用されるようになっており、その一例として特開平９−４８１７２号公報や特開２００５−５５８４５号公報に記載されるものがある。
【０００８】
前記従来の表示媒体は、発泡加工により微細な孔を多数配置して繰返しの貼付け、剥がしを可能にした樹脂製シート状の吸着層と、この吸着層の表面側に直接、もしくはシート状のベース材を介して設けられるインクジェット用インクの受容部と、吸着層の対象物への吸着面側に設けられてこの面を保護する剥離可能なフィルムとを備える構成である。印刷面であるインク受容部に対し通常の紙等同様にそのまま印刷した後、吸着面側のフィルムを剥がして設置対象面に貼付けることができる仕組みである。
【特許文献１】特開平９−４８１７２号公報
【特許文献２】特開２００５−５５８４５号公報
【考案の開示】
【考案が解決しようとする課題】
【０００９】
従来の表示媒体は以上のように構成されており、平滑面に対して何度も貼付け、剥がしが可能なものであり、多種多様なデザインが求められる広告用途に適切に対応できるものであったが、印刷内容は消すことができないため、わずかでも表示内容に変化を加える必要がある場合、例えば、価格表示を変える毎に新たに印刷し直さなければならないなど、記入内容が頻繁に変化するものに使用する場合はそのつど新たな使用となってコスト高となってしまうという課題を有していた。
【００１０】
一方、自由な書込みが行えて且つ消去することもでき、表示内容変化に柔軟に対応できるホワイトボートタイプのシートも従来から存在しているが、この場合は、高画質で鮮明なデザインを得られる印刷ができず、マーカーによる書込みのみのデザイン形成となり、広告表示としてのインパクトが弱く、視覚に訴える効果が小さいという課題を有していた。こうした広告用途の表示媒体としては、貼付け容易などの取扱い簡易性を有しながら、印刷によるデザインの視覚に強く訴える効果と、マーカー記入による表示内容変化への即応性という両者の長所を組合わせたものが強く求められていた。
【００１１】
本考案は前記課題を解消するためになされたもので、平滑面への貼付け、剥がしが自由に行え、設置対象面に容易に貼付けて使用できる上、印刷による鮮明で優れたデザイン性とマーカーでの自由な書込みと消去による柔軟な対応性とを合せ持ち、様々な状況に対応した表示が行えると共に、貼付け・剥がしを繰返せるなど何度も使用でき、コスト面でも優れるシート状表示媒体を提供することを目的とする。
【課題を解決するための手段】
【００１２】
本考案に係るシート状表示媒体は、吸着力を生じる微細な凹部が多数形成された柔軟な略シート状の吸着部と、当該吸着部の一面に剥離可能に貼着される略フィルム状の吸着面保護材と、前記吸着部の他面にインク受容成分を配置して形成され、所定の一又は複数色のインクで所定の表示内容が印刷されるインク受容層と、ホワイトボード用マーカーでの書込み及び当該書込みの払拭消去が可能な表面性状を有し、印刷済みの前記インク受容層全面を覆って貼着される略透明の保護フィルムとを備えるものである。
【００１３】
このように本考案によれば、設置対象面への貼付けを吸着で実現する吸着部と一体に、所定デザインに印刷されるインク受容層とこれを覆う保護フィルムとを有し、印刷で得られる高精細で優れた画質のデザインと共に、保護フィルム表面へのマーカー書込み及びその消去で自由に変化させられる文字や線画を主とするデザインを追加できることにより、印刷による質の高いデザインに、保護フィルム表面へのマーカーでの自由な書込みに伴うデザインが組合わさることとなり、変化に富んだデザイン形成が可能であり、視覚に訴える表示が確実に行え、注目度を著しく高められる。また、吸着部が粘着性を有さず、何度も貼付け、剥がしが行え、収納保存も可能であり、取扱い性に優れる。
【考案を実施するための最良の形態】
【００１４】
以下、本考案の一実施の形態に係るシート状表示媒体を図１に基づいて説明する。図１は本実施の形態に係るシート状表示媒体の印刷時、保護フィルム貼付け状態、及び設置対象面への貼付け状態の各拡大断面図である。
前記図１において本実施の形態に係るシート状表示媒体１は、吸着力を生じる微細な凹部が多数形成された柔軟な略シート状の吸着部２と、この吸着部２の一面に剥離可能に貼着される略フィルム状の吸着面保護材３と、吸着部２の他面にインク受容成分を配置して形成され、所定の一又は複数色のインクで所定の表示内容が印刷されるインク受容層４と、ホワイトボード用マーカーでの書込み及び当該書込みの払拭消去が可能な表面性状を有し、前記インク受容層４を覆って貼着される略透明の保護フィルム５とを備える構成である。
【００１５】
前記吸着部２は、多孔質の薄い合成樹脂製膜状体からなり、表面にあらわれる多数の微細凹部２ａが吸盤同様の性状を有して平滑面に吸着して密着可能となる性質を有する従来公知のものであり、詳細な説明を省略する。この吸着部２の厚さは３０〜５００μｍとされ、また、微細な凹部２ａの大きさは５〜３００μｍとされている。また、吸着部２の貼付け対象物への吸着面になる側には、吸着面保護材３が貼着されて配設される。この吸着面保護材３は印刷時等に吸着部２が他の部材や吸着部２自体の他部分に誤って付着してしまうのを防ぐものであり、吸着部２の曲げ伸し等にそのまま追随して吸着部２に貼着された状態を維持できる性状の材質となっている。
【００１６】
前記インク受容層４は、吸着部２表面にインクを適切に保持する成分をコーティング等により膜状に積層一体化させたものであり、インク受容層４をなす成分としては、顔料を主原料とする公知のコート剤を用いることができる。なお、吸着部２をなす素材にインク保持成分のコーティング等を行ってインク受容層４となす構成としているが、この他、吸着部２が直接インクを適切に保持できる性状である場合は、吸着部２表面部分がインク受容層４を兼ねるものとして別途インク保持用のコーティングを行わなくてもよい。この他、吸着部２に直接インク受容層を設けず、所定の可撓シート状体をベースとして用い、その両面に吸着部とインク受容層を接着一体化して用いる構成としてもかまわない。
【００１７】
前記保護フィルム５は、印刷面を水や紫外線等から保護すると共に表面へのホワイトボード用マーカーによる記入並びに記入部分の消去が可能な公知の透明オーバーコートフィルム材であり、このフィルム材質としては、ポリエステル（ＰＥＴ）やフッ素樹脂等を用いることができる。この保護フィルム５には、一面に粘着剤があらかじめ配置されたものを用いて、作業者が容易に貼り合せを行えるようにすることもできる。
【００１８】
次に、前記構成に基づくシート状表示媒体のデザイン形成から使用までについて説明する。まず、保護フィルム５が貼られていない状態のシート状表示媒体１（図１（Ａ）参照）を印刷装置（インクジェット記録方式のプリンタ等）にセットし、その表面のインク受容層４に対し印刷装置で所定デザインの印刷を行う。印刷により適切な画像が得られ、インク受容層４にインクが十分に定着した状態となったら、印刷面に保護フィルム５を貼付け、安定した保護状態を得る（図１（Ｂ）参照）。
【００１９】
保護フィルム５が貼付けられた状態で、必要に応じて所望のデザインに合わせてシート状表示媒体１を切断等加工した後、吸着面保護材３を吸着部２から剥がし、露出した吸着面を平滑な設置対象面６に当接させて保護フィルム５のある表面側から軽く押さえると、押された吸着部２の厚みがわずかに減少する分、押された部分の各微細凹部２ａの空気が押出され、ちょうど吸盤と同様の仕組みで設置対象面６に吸着した状態となり、そのまま手を離しても吸着を維持し、貼付けが完了する（図１（Ｃ）参照）。誤って位置がずれた状態で貼付けた場合も、一旦剥がして容易に貼直しが行える。
【００２０】
貼付け状態では、吸着部２の微細な凹部２ａが設置対象面６に密着した状態を維持しており、人の手によらず剥がれることはない。この貼付け状態や、貼付け前の状態において、保護フィルム５で覆われた表面側に対しては、公知のホワイトボード用マーカーで文字や模様を自由に書込むことができる。書込んだ内容は通常のホワイトボードと同様、払拭消去することができ、表示内容の変更が容易且つ速やかに行え、変化のあるデザイン表示が行え、一部の表示を頻繁に変える必要のある広告表示に適したものとなる。
【００２１】
設置対象箇所における表示の必要性が無くなったら、シート状表示媒体１を剥がし、他の場所に貼付けたり、一時的に収納、保管したりすることができる。粘着性による貼付けではなく、吸着部２素材自体の吸着性を利用した貼付けであるため、設置対象面６や表示媒体１自体に一切影響を残さずに剥がすことができ、収納保管時も吸着面が周囲に付着して離れなくなることはなく、再利用についても全く問題なく行える。
【００２２】
また、シート状表示媒体１は、吸着部２自体が耐水性を有し、吸着面で水濡れに関係なく吸着状態を維持できることに加え、表面側が保護フィルム５に覆われているため、優れた耐水性を有し、吸水によるしわや歪み等の発生もなく、また、保護フィルム５により印刷面は紫外線等にも強く色褪せが起りにくいなど、屋外での使用にも耐え、表示媒体としての機能を長期にわたり維持できる。さらに、保護フィルム５の表面は汚れが付着してもマーカー書込み同様に払拭により容易に落すことができ、メンテナンス性にも優れる。
【００２３】
このように、本実施の形態に係るシート状表示媒体では、設置対象面への貼付けを吸着で実現する吸着部２と一体に、所定デザインに印刷されるインク受容層４とこれを覆う保護フィルム５とを有し、印刷で得られる高精細で優れた画質のデザインと共に、保護フィルム５表面へのマーカー書込み及びその消去で自由に変化させられる文字や線画を主とするデザインを追加できることから、印刷による質の高いデザインに、保護フィルム５表面へのマーカーでの自由な書込みに伴うデザインが組合わさることとなり、変化に富んだデザイン形成が可能であり、視覚に訴える表示が確実に行え、注目度を著しく高められる。また、吸着部２が粘着性を有さず、何度も貼付け、剥がしが行え、収納保存も可能であり、取扱い性に優れる。
【図面の簡単な説明】
【００２４】
【図１】本考案の一実施の形態に係るシート状表示媒体の印刷時、保護フィルム貼付け状態、及び設置対象面への貼付け状態の各拡大断面図である。
【符号の説明】
【００２５】
１      シート状表示媒体
２      吸着部
２ａ    凹部
３      吸着面保護材
４      インク受容層
５      保護フィルム
６      設置対象面
【図１】
0003112890.tif 000003